(57)【特許請求の範囲】
【請求項１】
上流から水が流入する流入口と下流側へ排出する流出口とを備えた槽本体部と、
前記槽本体部を仕切る複数の仕切板と、
前記槽本体部の上面を塞ぐ蓋体と、を有し、
前記仕切板は、前記槽本体部に対し着脱可能に設置されるとともに、上端から形成され左右いずれかの方向に寄った切り欠き部を備え、
複数の前記仕切板を前記切り欠き部が左右交互に位置するように前記槽本体部に設置した沈砂槽において、
前記蓋体の下面に前記仕切板を保持する仕切ガイドを備えるとともに、
前記仕切板の上部には人が前記仕切板を持つための手掛孔を有し、
前記仕切ガイドの下端は前記手掛孔の下端よりも下に位置し、前記蓋体が前記槽本体部の上面を塞いだ際には前記仕切ガイドが前記手掛孔を覆うことを特徴とする沈砂槽。
【請求項２】
切り欠き部の下端が槽本体部の槽内の底面から２００ｍｍ〜４００ｍｍの高さに位置することを特徴とする請求項１記載の沈砂槽。
【請求項３】
洗車機の排水部が流入口と接続した請求項１または請求項２に記載の沈砂槽と、
前記沈砂槽の流出口と接続した油水分離槽と、
前記油水分離槽の下流に接続した排水手段と、を有すことを特徴とする洗車機用排水設備。
【請求項４】
排水手段が水を地中に浸透させる浸透桝であり、
油水分離槽は複数の隔壁によって仕切られるとともに、
前記隔壁は左右いずれかの方向に寄った通水孔を備え、さらに前記通水孔は上流から下流に向かって左右交互に位置するように設けられ、
また、前記通水孔は上流側が少なくとも下方が開口した遮油壁にて囲われることを特徴とする請求項３記載の洗車機用排水設備。
【発明の詳細な説明】
【技術分野】
【０００１】
本発明は、水処理において水中の土砂等を除去する沈砂槽及びこれを備えた洗車機用排水設備に関するものである。
【背景技術】
【０００２】
従来の洗車機用排水設備は、例えば下記［特許文献１］に記載されているように、洗浄排水中の油分を分離する油水分離槽が土砂等を分離する沈砂槽を兼ねているものが多い。
【先行技術文献】
【特許文献】
【０００３】
【特許文献１】特開平１０−３０５７６１号公報
【発明の概要】
【発明が解決しようとする課題】
【０００４】
しかしながら、油水分離槽が沈砂槽を兼ねる場合、油水分離槽内に徐々に土砂等が堆積して槽の容量が減少し処理能力が低下する。このため、定期的に土砂等の堆積物を除去する必要がある。しかしながら、一般的な油水分離槽は邪魔板や隔壁等で細かく区切られており、人が手作業で除去することが難しい。このため、吸引装置等の特別な設備が必要となり、設備コストがかかるという問題点がある。
【０００５】
本発明は上記事情に鑑みてなされたものであり、人が手作業で堆積物を除去可能な沈砂槽及びこれを備えた洗車機用排水設備の提供を目的とする。
【課題を解決するための手段】
【０００６】
本発明は、
（１）上流から水が流入する流入口３２ａと下流側へ排出する流出口３２ｂとを備えた槽本体部３０と、前記槽本体部３０を仕切る複数の仕切板４０と、前記槽本体部３０の上面を塞ぐ蓋体５０と、を有し、
前記仕切板４０は、前記槽本体部３０に対し着脱可能に設置されるとともに、上端から形成され左右いずれかの方向に寄った切り欠き部４２を備え、
複数の前記仕切板４０を前記切り欠き部４２が左右交互に位置するように前記槽本体部３０に設置した沈砂槽において、
前記蓋体５０の下面に前記仕切板４０を保持する仕切ガイド５４を備えるとともに、
前記仕切板４０の上部には人が前記仕切板４０を持つための手掛孔４４を有し、
前記仕切ガイド５４の下端は前記手掛孔４４の下端よりも下に位置し、前記蓋体５０が前記槽本体部３０の上面を塞いだ際には前記仕切ガイド５４が前記手掛孔４４を覆うことを特徴とする沈砂槽８０を提供することにより、上記課題を解決する。
（２）切り欠き部４２の下端が槽本体部３０の槽内の底面から２００ｍｍ〜４００ｍｍの高さに位置することを特徴とする上記（１）記載の沈砂槽８０を提供することにより、上記課題を解決する。
（３）洗車機１０の排水部１２が流入口３２ａと接続した上記（１）または（２）に記載の沈砂槽８０と、前記沈砂槽８０の流出口３２ｂと接続した油水分離槽６０と、前記油水分離槽６０の下流に接続した排水手段７０と、を有すことを特徴とする洗車機用排水設備１００を提供することにより、上記課題を解決する。
（４）排水手段７０が水を地中に浸透させる浸透桝であり、
油水分離槽６０は複数の隔壁６４によって仕切られるとともに、
前記隔壁６４は左右いずれかの方向に寄った通水孔６６を備え、さらに前記通水孔６６は上流から下流に向かって左右交互に位置するように設けられ、
また、前記通水孔６６は上流側が少なくとも下方が開口した遮油壁６８にて囲われることを特徴とする上記（３）記載の洗車機用排水設備１００を提供することにより、上記課題を解決する。
【発明の効果】
【０００７】
本発明に係る沈砂槽及びこれを備えた洗車機用排水設備は、沈砂槽の仕切板が着脱可能に構成され、また沈砂槽の底面は人が両足で立つことのできる広さを有する。このため、仕切板を外した後に作業者が沈砂槽内に降りることで、シャベル等を用いて簡単に堆積物を排出することができる。
【図面の簡単な説明】
【０００８】
【図１】本発明に係る沈砂槽の分解斜視図である。
【図２】本発明に係る沈砂槽の蓋体を示す図である。
【図３】本発明に係る沈砂槽の蓋体の仕切ガイドを説明する図である。
【図４】本発明に係る洗車機用排水設備を示す図である。
【図５】本発明に係る洗車機用排水設備に好適な油水分離槽の略断面図である。
【発明を実施するための形態】
【０００９】
本発明に係る沈砂槽８０及び洗車機用排水設備１００について図面に基づいて説明する。ここで、図１は本発明に係る沈砂槽８０の分解斜視図である。図１に示す本発明に係る沈砂槽８０は、流入口３２ａと流出口３２ｂとを備えた槽本体部３０と、この槽本体部３０を縦方向に仕切る複数の仕切板４０と、槽本体部３０の上面を塞ぐ蓋体５０と、を有している。
【００１０】
そして、仕切板４０は、この仕切板４０の上端から形成され左右いずれかの方向に寄った切り欠き部４２を備え、この切り欠き部４２が槽本体部３０の上流側から下流側に向け左右交互に位置するように着脱可能に設置される。この際、流入口３２ａと流出口３２ｂの位置も含めて左右交互とすることが好ましい。また、仕切板４０の上部辺縁部には人が仕切板４０を持つときに使用する手掛孔４４を設ける。このようにして、槽本体部３０の内部は仕切板４０によって複数の空間（図１では第１室〜第４室）に区切られる。このとき、各室の流路の幅、即ち、槽本体部３０と仕切板４０との間隔もしくは仕切板４０同士の間隔は切り欠き部４２の幅よりも広くすることが好ましい。尚、これらの条件を満たしていれば仕切板４０の設置枚数に特に限定は無い。尚、ここでは仕切板４０の数が３枚の例を示している。
【００１１】
また、槽本体部３０はコンクリートやＦＲＰ（Ｆｉｂｅｒ  Ｒｅｉｎｆｏｒｃｅｄ  Ｐｌａｓｔｉｃｓ：繊維強化プラスチック）等で構成され、槽内の底面の寸法は少なくとも人が両足で立つことのできる値、例えば幅が４００ｍｍ〜８００ｍｍ、長さが８０ｍｍ〜１５００ｍｍ程度とすることが好ましい。また、槽の深さは４００ｍｍ〜７００ｍｍ程度とすることが好ましい。そして、槽本体部３０の一方の側壁には、前述のように上流側の設備から排出された水が槽内へと流入する流入口３２ａが設けられている。尚、ここでの上流側の設備とは、沈砂槽８０を浄水設備で用いる場合には河川等から原水を取水する取水設備等であり、沈砂槽８０を排水処理設備で用いる場合には排水ピットや排水溝、機械設備や建築物の排水管等である。また、沈砂槽８０をガソリンスタンドや洗車場等の洗車機１０の排水設備（洗車機用排水設備１００）に用いる場合には、この上流側の設備とは洗車機１０の排水ピットや排水溝等の排水部１２となる。
【００１２】
また、槽本体部３０のもう一方の側壁、一般的には流入口３２ａの設置面と反対側の側壁には沈砂槽８０の水を下流側の設備へと排出する流出口３２ｂが設けられる。尚、ここでの下流側の設備とは、油水分離槽や濾過槽、凝集剤添加設備等の周知の水処理設備である。特に、沈砂槽８０を洗車機用排水設備１００に用いる場合には、油水分離槽６０が下流側の設備となる。また、流出口３２ｂの位置は流入口３２ａよりも下に設け、且つ流出口３２ｂの下端を仕切板４０の切り欠き部４２の下端の位置と略同等とすることが好ましい。この構成によれば、後述する堆積物の除去作業時には沈砂槽８０内の水位が低く、槽内の排水作業を行わなくとも除去作業を行う事ができる。
【００１３】
また、槽本体部３０の内壁側面には仕切板４０を挿入保持する縦溝３４が設けられている。尚、縦溝３４は内壁側面から突出した２本の凸条で形成しても良いが、槽の内側に突出物が存在すると堆積物の除去作業の邪魔となるため、図１に示すように槽本体部３０の内壁側面から凹むように形成することが特に好ましい。
【００１４】
また、仕切板４０は鉄等の金属や強化プラスチック等で構成された板状体であり、前述のように上部から形成された切り欠き部４２を有している。また、仕切板４０の高さは槽本体部３０の深さと略同等であり、仕切板４０の幅は対向する縦溝３４間の寸法と略同等である。よって、仕切板４０が縦溝３４に挿入すると、槽本体部３０の槽内は仕切板４０によって完全に分断され、分断された各室への水の流通は切り欠き部４２を通してのみとなる。また、切り欠き部４２は前述のように中央ではなく、左右いずれかに寄って形成される。尚、仕切板４０は切り欠き部４２が右寄りのものと左寄りのものとで作り分ける必要は無く、同一形状のものを左右で裏返して使い分ければよい。そして、基本的にこの切り欠き部４２の下端位置が槽本体部３０における堆積物の許容量を示す。ここで、槽本体部３０内の底面から切り欠き部４２の下端までの高さ、即ち切り欠き部４２の下端から仕切板４０の下端までの長さＬは、堆積物の除去作業の効率の観点から２００ｍｍ〜４００ｍｍ程度とすることが好ましい。尚、長さＬが２００ｍｍ未満の場合、沈砂槽８０の能力に対して堆積物の許容量が少なく除去作業の頻度が高くなる。また、長さＬが４００ｍｍを超えると堆積物の層厚が厚すぎて除去作業に大きな労力を要することとなる。
【００１５】
また、蓋体５０は槽本体部３０を塞ぐ蓋であり下面側に、図２に示すような下方へ突出した蓋ガイド５２と、仕切板４０を保持する仕切ガイド５４と、を有している。尚、蓋ガイド５２は槽本体部３０の内壁に沿う寸法で形成され、蓋ガイド５２を槽本体部３０に嵌め込むことで、蓋体５０の位置決めがなされるとともに、蓋体５０が槽本体部３０の上面を閉塞する。
【００１６】
また、仕切ガイド５４は、図３（ａ）の横断面図に示すように、例えば断面Ｌ字状の１対のアングル部材５３によって形成され、蓋体５０に対して垂直な面が所定の間隙を取って対向することで構成される。そして、この対向した垂直面の間隙に仕切板４０の上端部が挿入することで仕切板４０を保持する。これにより、仕切板４０と蓋体５０との間には露出した空隙が存在せず、槽本体部３０内を流れる水は仕切板４０の上を越えることなく、切り欠き部４２を通ることとなる。さらに、仕切ガイド５４の幅Ｈは図３（ａ）、（ｂ）に示すように、蓋体５０が閉められた状態で仕切ガイド５４の下端が手掛孔４４の下端よりも下に位置する寸法とする。これにより、蓋体５０が閉められた状態では手掛孔４４は仕切ガイド５４によって覆われ、手掛孔４４を通しての水の流通は阻害される。これにより、槽本体部３０内を流れる水は手掛孔４４を流れることなく、切り欠き部４２側を流下することとなる。
【００１７】
次に、本発明に係る洗車機用排水設備１００に関して説明する。本発明に係る洗車機用排水設備１００は、図４に示すように、本発明に係る沈砂槽８０と、この沈砂槽８０の流出口３２ｂと接続した油水分離槽６０と、この油水分離槽６０の下流に接続した排水手段７０と、を有している。そして、この沈砂槽８０の流入口３２ａが洗車機１０の排水部１２と周知の配管等を介して接続する。尚、洗車機用排水設備１００の排水手段７０としては如何なるものを用いても良いが、地中に浸透させて排水する周知の浸透桝を用いることが好ましい。
【００１８】
次に、本発明に好適な油水分離槽６０の構成を説明する。ここで、図５は本発明に好適な油水分離槽６０の略断面図である。本発明に好適な油水分離槽６０は、通水孔６６を備えた隔壁６４により縦方向に仕切られた分離槽本体部６２と、この分離槽本体部６２の上面を塞ぐ図示しない蓋体と、を有している。また、分離槽本体部６２の上流側の側壁には沈砂槽８０の流出口３２ｂと接続する分離槽流入口６２ａを有し、下流側の側壁には排水手段７０と接続する分離槽流出口６２ｂを有する。尚、分離槽流入口６２ａ、分離槽流出口６２ｂ、通水孔６６は上流から下流に向かって左右交互に位置するように、左右いずれかの方向に寄って形成することが好ましい。また、通水孔６６及び分離槽流出口６２ｂの上流側には少なくとも下方が開口した略コの字形状の遮油壁６８が設置され、これにより通水孔６６及び分離槽流出口６２ｂの上流側はこの遮油壁６８にて囲われることとなる。また、分離槽流入口６２ａには沈砂槽８０を通過した浮遊ゴミを捕集するダストトラップ６９が設けられる。
【００１９】
次に、沈砂槽８０の動作を本発明に係る洗車機用排水設備１００を用いて説明する。先ず、洗車機１０は例えばレールに沿って前進後退動作し、水の噴射、液体洗剤による洗浄、液体ワックスの塗布、送風による水滴除去等を設定に従って行うものであり、洗車動作によって生じた洗剤やワックス等を含む洗浄排水は排水ピットや排水溝等の洗車機１０の排水部１２に流入する。そして、これらの洗浄排水は洗車機用排水設備１００の沈砂槽８０内に流入口３２ａを通して流入する。流入した洗浄排水は最上流に位置する仕切板４０にて堰き止められ、その流速は低下する。この際、土砂等の重量物は沈降し槽本体部３０の内壁と最上流の仕切板４０とで区切られた第１室の底に堆積する。次に、洗浄排水は最上流の仕切板４０の切り欠き部４２を通って、最上流の仕切板４０と２番目の仕切板４０とで区切られた第２室に流入する。この際、切り欠き部４２の幅を各室の幅（流路の幅）よりも狭く形成することで、切り欠き部４２を通過する際の水の流速はベルヌーイの法則により増加する。そして、切り欠き部４２を通過した洗浄排水は２番目の仕切板４０にて堰き止められて流速が低下する。そして、第２室に流入した比較的軽量の重量物は沈降し第２室の底に堆積する。このようにして洗浄排水は流速に緩急を付けられながら、仕切板４０と切り欠き部４２によって構成された流路（第１室〜第４室）を上流から下流に向けて折り返しながら流下する。そして、この間に重量物は沈降して分離される。重量物が分離した洗浄排水は流出口３２ｂを通って油水分離槽６０に流入する。
【００２０】
また、油水分離槽６０に流入した洗浄排水は、先ず分離槽流入口６２ａに設置されたダストトラップ６９によってゴミ等の比較的大きな浮遊物が捕集される。次に、洗浄排水は、分離槽本体部６２と最上流の隔壁６４とで区切られた第１室に流入する。そして、洗浄排水中の水分は遮油壁６８の下側を通って通水孔６６を抜け、２番目の隔壁６４との間に形成された第２室に流入する。この時、水よりも軽い油分は浮上油として水面に存在し、遮油壁６８に阻まれて通水孔６６を通過することができない。同様に第２室、第３室の遮油壁６８も浮上油の通水孔６６及び分離槽流出口６２ｂへの通過を阻止し、浮上油の下流への流下を防止する。これにより、洗浄排水中の浮上油は油水分離槽６０にて分離され水のみが分離槽流出口６２ｂから排水手段７０に排出される。そして、排水手段７０が浸透桝の場合、流入した水は破石層等を通して地中に浸透し排水される。
【００２１】
また、洗車機用排水設備１００の使用により、沈砂槽８０の各室の底には徐々に堆積物が溜まっていく。そして、堆積物の層が概ね切り欠き部４２の下端に到達すると、作業者はこれを目視にて確認し堆積物の除去作業を行う。堆積物の除去作業は先ず、洗車機１０を停止するなどして、流入口３２ａから新たな洗浄排水が沈砂槽８０に流れ込まないようにする。次に、蓋体５０を取外し沈砂槽８０を開ける。次に、手掛孔４４を持って仕切板４０を縦溝３４から引抜き沈砂槽８０から取り外す。これにより、沈砂槽８０は人が両足で立つことのできる広さの１つの槽となる。このとき、流出口３２ｂの下端と切り欠き部４２の下端の位置とは略同等であるから、沈砂槽８０の水位は切り欠き部４２の下端位置と略同等となる。よって、堆積物が切り欠き部４２の下端まで溜まった状態では沈砂槽８０内に残留している水の量は少なく、別途排水作業を行うことなく堆積物の除去作業を行う事ができる。
【００２２】
次に、作業者が沈砂槽８０内に降り、シャベル等で堆積物を掘り出し沈砂槽８０の外に排出する。排出された堆積物は然るべき方法により処分される。そして、堆積物の除去が終了すると作業者は沈砂槽８０から出て、仕切板４０を縦溝３４に挿入して沈砂槽８０を区切る。次に、蓋体５０を沈砂槽８０の上面に被せるとともに仕切ガイド５４に仕切板４０の上端を挿入して保持する。これにより、堆積物の除去作業が完了する。そして、作業者は洗車機１０を再稼働する。
【００２３】
以上のように、本発明に係る沈砂槽８０及びこれを備えた洗車機用排水設備１００は、沈砂槽８０が油水分離槽６０とは別に独立して設けられ、且つ沈砂槽８０の仕切板４０が着脱可能に構成される。また、沈砂槽８０の底面は人が両足で立つことのできる広さを有する。このため、仕切板４０を外した後に作業者が沈砂槽８０内に降りることで、シャベル等を用いて簡単に堆積物を排出することができる。これにより、堆積物の除去作業に吸引装置等の特別な設備が不要となり、設備コストの低減を図ることができる。
【００２４】
また、本発明に係る沈砂槽８０の仕切板４０は左右いずれかの方向に寄った切り欠き部４２を備え、この切り欠き部４２が槽本体部３０の上流側から下流側に向け左右交互に位置するように設置される。これにより、沈砂槽８０を流下する水の流速に緩急が付き、土砂等の重量物を効果的に沈降、分離することができる。
【００２５】
さらに、流出口３２ｂの下端と切り欠き部４２の下端の位置とを略同等にすることで堆積物が切り欠き部４２の下端まで溜まった状態では沈砂槽８０内の水量は少なく、別途排水作業を行うことなく堆積物の除去作業を行う事ができる。
【００２６】
尚、本例で示した沈砂槽８０、洗車機用排水設備１００の各部の構成、機構、形状、デザイン、寸法、動作等は一例であるから、特に本例に限定される訳ではなく、本発明は本発明の要旨を逸脱しない範囲で変更して実施することが可能である。
【符号の説明】
【００２７】
１０    洗車機
１２    排水部
３０    槽本体部
３２ａ  流入口
３２ｂ  流出口
４０    仕切板
４２    切り欠き部
４４    手掛孔
５０    蓋体
５４    仕切ガイド
６０    油水分離槽
６４    隔壁
６６    通水孔
６８    遮油壁
７０    排水手段
８０    沈砂槽
１００  洗車機用排水設備
【図１】
0006967298.tif 000002
【図２】
0006967298.tif 000003
【図３】
0006967298.tif 000004
【図４】
0006967298.tif 000005
【図５】
0006967298.tif 000006